(57)【要約】【課題】印刷媒体の印刷の態様に応じて適切な印刷方法を自動的に選択する印刷装置、複写装置及びファクシミリ装置を提供する。【解決手段】ＣＰＵ１２は、操作部２０やホストコンピュータ２２等からの入力に基づいてプリンタ１０内の各部の動作を制御する。用紙制御部１４は、印刷媒体を搭載する給紙トレーや印刷媒体を印字制御部１６に送る紙送り機構等を含んでいる。ＣＰＵ１２は、ホストコンピュータ２２から文書や画像等のデータ（文書データ）を受け取ると、用紙制御部１４を制御して印字制御部１６に印刷媒体３０を送る。そして、ＣＰＵ１２により文書データが処理され、印字制御部１６により印刷媒体３０に文書が印刷されると共に、ＲＦ−ＩＤ書込部１８により印刷媒体３０のＲＦ−ＩＤチップ３４に識別情報が書き込まれる。【選択図】      図１
2005305821.tif 000002
【特許請求の範囲】
【請求項１】
ＲＦ−ＩＤチップが内蔵された印刷媒体に文書又は画像を印刷する印刷装置において、
前記印刷媒体に印刷を行う際に前記印刷媒体又は印刷情報に関連する識別情報を前記ＲＦ−ＩＤチップに書き込む識別情報書込手段を備えることを特徴とする印刷装置。
【請求項２】
前記識別情報が、前記印刷媒体の種類、前記印刷媒体の大きさ、前記印刷媒体の厚み、前記印刷媒体に印刷されている内容が両面印刷か片面印刷かの区別、前記印刷媒体に印刷されている内容が白黒印刷かカラー印刷かの区別、カラー印刷の色数、カラー印刷の階調数、印刷方法の種類、送信先ファックス番号、印刷された日時及び印刷内容の機密性からなる群のうちの少なくとも１つを含むことを特徴とする請求項１記載の印刷装置。
【請求項３】
ＲＦ−ＩＤチップが内蔵された印刷媒体の複写を行う際に、前記ＲＦ−ＩＤチップに書き込まれた印刷媒体又は印刷内容に関連する識別情報を読み取る識別情報読取手段と、
前記印刷媒体に印刷された内容を読み取る読取手段と、
前記読取手段によって読み取られた印刷内容を別の印刷媒体に印刷する印刷手段と、
前記識別情報読取手段によって読み取られた前記識別情報に応じて前記読取手段及び印刷手段を制御する制御手段と、
を備えることを特徴とする複写装置。
【請求項４】
前記識別情報読取手段によって読み取られた前記識別情報に前記印刷媒体が両面印刷されたものであるという情報が含まれる場合、前記制御手段は両面コピーを行うよう前記読取手段及び印刷手段を制御することを特徴とする請求項３記載の複写装置。
【請求項５】
前記識別情報読取手段によって読み取られた前記識別情報に前記印刷媒体がカラー印刷されたものであるという情報が含まれる場合、前記制御手段はカラーコピーを行うよう前記読取手段及び印刷手段を制御することを特徴とする請求項３記載の複写装置。
【請求項６】
操作者への指示又は警告を表示する表示手段を備え、
前記識別情報読取手段で読み取られた前記識別情報に応じた印刷機能がない場合、前記制御手段は前記表示手段により操作者への指示又は警告を表示させることを特徴とする請求項３から５のいずれか１項記載の複写装置。
【請求項７】
前記読み取られた識別情報に前記印刷媒体が機密文書であるという情報が含まれる場合、前記制御手段は前記印刷媒体の複写を許可しないことを特徴とする請求項３記載の複写装置。
【請求項８】
操作者への指示又は警告を表示する表示手段を備え、
前記読み取られた識別情報に前記印刷媒体が機密文書であるという情報が含まれる場合、前記制御手段は前記表示手段に警告を表示させることを特徴とする請求項７記載の複写装置。
【請求項９】
ＲＦ−ＩＤチップが内蔵された印刷媒体の送信を行う際に、前記ＲＦ−ＩＤチップに書き込まれた印刷媒体又は印刷内容に関連する識別情報を読み取る識別情報読取手段と、
前記印刷媒体に印刷された内容を読み取る読取手段と、
前記読取手段によって読み取られた印刷内容を通信回線を介して送信する送信手段と、
前記識別情報読取手段によって読み取られた前記識別情報に応じて前記読取手段及び送信手段を制御する制御手段と、
を備えることを特徴とするファクシミリ装置。
【請求項１０】
前記識別情報読取手段によって読み取られた前記識別情報に送信先ファックス番号が含まれる場合、前記識別情報の送信先ファックス番号に前記印刷内容を送信することを特徴とする請求項９記載のファクシミリ装置。
【請求項１１】
前記識別情報読取手段によって読み取られた前記識別情報に前記印刷媒体が両面印刷されたものであるという情報が含まれる場合、前記制御手段は両面送信を行うよう前記読取手段及び送信手段を制御することを特徴とする請求項９記載のファクシミリ装置。
【請求項１２】
前記識別情報読取手段によって読み取られた前記識別情報に前記印刷媒体がカラー印刷されたものであるという情報が含まれる場合、前記制御手段はカラー送信を行うよう前記読取手段及び送信手段を制御することを特徴とする請求項９記載のファクシミリ装置。
【請求項１３】
操作者への指示又は警告を表示する表示手段を備え、
前記識別情報読取手段で読み取られた前記識別情報に応じたファックス機能がない場合、前記制御手段は前記表示手段により操作者への指示又は警告を表示させることを特徴とする請求項９から１２のいずれか１項記載のファクシミリ装置。
【請求項１４】
前記読み取られた識別情報に前記印刷媒体が機密文書であるという情報が含まれる場合、前記制御手段は前記印刷媒体の送信を許可しないことを特徴とする請求項９記載のファクシミリ装置。
【請求項１５】
操作者への指示又は警告を表示する表示手段を備え、
前記読み取られた識別情報に前記印刷媒体が機密文書であるという情報が含まれる場合、前記制御手段は前記表示手段に警告を表示させることを特徴とする請求項１４記載のファクシミリ装置。
【発明の詳細な説明】
【技術分野】
【０００１】
本発明は印刷装置、複写装置及びファクシミリ装置に係り、特に印刷媒体にＲＦ−ＩＤ等を書き込むことのできる印刷装置等に関する。
【背景技術】
【０００２】
近年、非接触でデータの読み書きができるＲＦ−ＩＤ（Radio Frequency Identification）が注目されており、紙にＲＦ−ＩＤタグを取り付けてデータの読み書きや書類の管理等を行う技術が開発されている。例えば、特許文献１には、ＲＦ−ＩＤタグから読み込まれたデータに基づいて用紙のラベルを印刷するプリンタ装置について開示されている。
【０００３】
また、ＲＦ−ＩＤで文書を管理する技術としては、特許文献２に文書に漉き込まれたＲＦ−ＩＤタグを書類の承認印やチェック等の管理用帳票として利用する例について開示されている。
【特許文献１】特開２００１−９６８１４号公報
【特許文献２】特開２００２−１２０４７５号公報
【発明の開示】
【発明が解決しようとする課題】
【０００４】
ところで、一般に書類は両面印刷やカラー印刷等さまざまな方法で印刷されている。このような書類を複写又はファックス送信する際には、これら書類への印刷のされ方に応じて両面印刷やカラー印刷等に装置の設定を変更する必要がある。
【０００５】
上記の特許文献１及び２に開示された技術は、ＲＦ−ＩＤへのデータの読み書きを行うプリンタに関するものであり、上記の特許文献２に開示された技術は、従来の承認印やチェック等をＲＦ−ＩＤに書き込むことにより書類の管理を行うものであるが、本発明は上記の構成とは異なり、紙を複写又はファックス送信する際の利便性を向上させるものである。
【０００６】
本発明は上記の観点に鑑みてなされたもので、印刷媒体の印刷の態様に応じて適切な印刷方法を自動的に選択する印刷装置、複写装置及びファクシミリ装置を提供することを目的とする。
【課題を解決するための手段】
【０００７】
前記目的を達成するために請求項１に係る印刷装置は、ＲＦ−ＩＤチップが内蔵された印刷媒体に文書又は画像を印刷する印刷装置において、前記印刷媒体に印刷を行う際に前記印刷媒体又は印刷情報に関連する識別情報を前記ＲＦ−ＩＤチップに書き込む識別情報書込手段を備えることを特徴とする。
【０００８】
請求項１に係る印刷装置によれば、印刷媒体や印刷内容等の属性を印刷媒体に記憶させることができるので、複写やファックス送信時における印刷媒体の利用が容易になる。
【０００９】
請求項２に示すように請求項１に係る印刷装置において、前記識別情報が、前記印刷媒体の種類、前記印刷媒体の大きさ、前記印刷媒体の厚み、前記印刷媒体に印刷されている内容が両面印刷か片面印刷かの区別、前記印刷媒体に印刷されている内容が白黒印刷かカラー印刷かの区別、カラー印刷の色数、カラー印刷の階調数、印刷方法の種類、送信先ファックス番号、印刷された日時及び印刷内容の機密性からなる群のうちの少なくとも１つを含むことを特徴とする。
【００１０】
前記目的を達成するために請求項３に係る複写装置は、ＲＦ−ＩＤチップが内蔵された印刷媒体の複写を行う際に、前記ＲＦ−ＩＤチップに書き込まれた印刷媒体又は印刷内容に関連する識別情報を読み取る識別情報読取手段と、前記印刷媒体に印刷された内容を読み取る読取手段と、前記読取手段によって読み取られた印刷内容を別の印刷媒体に印刷する印刷手段と、前記識別情報読取手段によって読み取られた前記識別情報に応じて前記読取手段及び印刷手段を制御する制御手段と、を備えることを特徴とする。
【００１１】
請求項３に係る複写装置によれば、印刷媒体に記録された識別情報により、容易に最適な複写方法の設定ができ、設定ミスによるコピーの失敗を防ぐことができる。
【００１２】
請求項４に示すように請求項３に係る複写装置において、前記識別情報読取手段によって読み取られた前記識別情報に前記印刷媒体が両面印刷されたものであるという情報が含まれる場合、前記制御手段は両面コピーを行うよう前記読取手段及び印刷手段を制御することを特徴とする。
【００１３】
請求項５に示すように請求項３に係る複写装置において、前記識別情報読取手段によって読み取られた前記識別情報に前記印刷媒体がカラー印刷されたものであるという情報が含まれる場合、前記制御手段はカラーコピーを行うよう前記読取手段及び印刷手段を制御することを特徴とする。
【００１４】
請求項６に示すように請求項３から５に係る複写装置において、操作者への指示又は警告を表示する表示手段を備え、前記識別情報読取手段で読み取られた前記識別情報に応じた印刷機能がない場合、前記制御手段は前記表示手段により操作者への指示又は警告を表示させることを特徴とする。
【００１５】
請求項７に示すように請求項３に係る複写装置において、前記読み取られた識別情報に前記印刷媒体が機密文書であるという情報が含まれる場合、前記制御手段は前記印刷媒体の複写を許可しないことを特徴とする。
【００１６】
請求項８に示すように請求項７に係る複写装置において、操作者への指示又は警告を表示する表示手段を備え、前記読み取られた識別情報に前記印刷媒体が機密文書であるという情報が含まれる場合、前記制御手段は前記表示手段に警告を表示させることを特徴とする。
【００１７】
請求項７及び８に係る複写装置によれば、安易に機密文書のコピーが作成されるのを防ぐことができ、機密の保持に有効である。
【００１８】
前記目的を達成するために請求項９に係るファクシミリ装置は、ＲＦ−ＩＤチップが内蔵された印刷媒体の送信を行う際に、前記ＲＦ−ＩＤチップに書き込まれた印刷媒体又は印刷内容に関連する識別情報を読み取る識別情報読取手段と、前記印刷媒体に印刷された内容を読み取る読取手段と、前記読取手段によって読み取られた印刷内容を通信回線を介して送信する送信手段と、前記識別情報読取手段によって読み取られた前記識別情報に応じて前記読取手段及び送信手段を制御する制御手段と、を備えることを特徴とする。
【００１９】
請求項９に係るファクシミリ装置によれば、印刷媒体に記録された識別情報により、容易に最適なファックス送信方法の設定ができ、設定ミスによるファックス送信の失敗を防ぐことができる。
【００２０】
請求項１０に示すように請求項９に係るファクシミリ装置において、前記識別情報読取手段によって読み取られた前記識別情報に送信先ファックス番号が含まれる場合、前記識別情報の送信先ファックス番号に前記印刷内容を送信することを特徴とする。
【００２１】
請求項１１に示すように請求項９に係るファクシミリ装置において、前記識別情報読取手段によって読み取られた前記識別情報に前記印刷媒体が両面印刷されたものであるという情報が含まれる場合、前記制御手段は両面送信を行うよう前記読取手段及び送信手段を制御することを特徴とする。
【００２２】
請求項１２に示すように請求項９に係るファクシミリ装置において、前記識別情報読取手段によって読み取られた前記識別情報に前記印刷媒体がカラー印刷されたものであるという情報が含まれる場合、前記制御手段はカラー送信を行うよう前記読取手段及び送信手段を制御することを特徴とする。
【００２３】
請求項１３に示すように請求項９から１２に係るファクシミリ装置において、操作者への指示又は警告を表示する表示手段を備え、前記識別情報読取手段で読み取られた前記識別情報に応じたファックス機能がない場合、前記制御手段は前記表示手段により操作者への指示又は警告を表示させることを特徴とする。
【００２４】
請求項１４に示すように請求項９に係るファクシミリ装置において、前記読み取られた識別情報に前記印刷媒体が機密文書であるという情報が含まれる場合、前記制御手段は前記印刷媒体の送信を許可しないことを特徴とする。
【００２５】
請求項１５に示すように請求項１４に係るファクシミリ装置において、操作者への指示又は警告を表示する表示手段を備え、前記読み取られた識別情報に前記印刷媒体が機密文書であるという情報が含まれる場合、前記制御手段は前記表示手段に警告を表示させることを特徴とする。
【００２６】
請求項１４及び１５に係るファクシミリ装置によれば、安易に機密文書がファックス送信されるのを防ぐことができ、機密の保持に有効である。
【発明の効果】
【００２７】
本発明によれば、印刷媒体の性質や印刷の様態等の属性を印刷媒体のＲＦ−ＩＤチップに記憶させることができるので、複写やファックス送信等の利用が容易になる。また、安易に機密文書が複写又はファックス送信されるのを防ぐことができ、機密の保持に有効である。
【発明を実施するための最良の形態】
【００２８】
以下添付図面に従って本発明に係る印刷装置の好ましい実施の形態について説明する。図１は、本発明の一実施形態に係る印刷装置の主要構成を示すブロック図である。図１に示す印刷装置（プリンタ）１０は、ＣＰＵ１２、用紙制御部１４、印字制御部１６、ＲＦ−ＩＤ書込部１８、操作部２０等を備えている。また、プリンタ１０は通信回線等を介してホストコンピュータ２２と接続されている。
【００２９】
ＣＰＵ１２は、操作部２０やホストコンピュータ２２等からの入力に基づいてプリンタ１０内の各部の動作を制御する。用紙制御部１４は、印刷媒体を搭載する給紙トレーや印刷媒体を印字制御部１６に送る紙送り機構等を含んでいる。
【００３０】
図２は、印刷媒体を示す図である。図２に示すように、印刷媒体３０は紙３２にＲＦ−ＩＤチップ３４が埋め込まれてできている。
【００３１】
ＣＰＵ１２は、ホストコンピュータ２２から文書や画像等のデータ（文書データ）を受け取ると、用紙制御部１４を制御して印字制御部１６に印刷媒体３０を送る。そして、ＣＰＵ１２により文書データが処理され、印字制御部１６により印刷媒体３０に文書が印刷されると共に、ＲＦ−ＩＤ書込部１８により印刷媒体３０のＲＦ−ＩＤチップ３４に識別情報が書き込まれる。
【００３２】
ここで、ＲＦ−ＩＤチップ３４に書き込まれる識別情報は、紙の性質や印刷の態様等に関する情報等である。紙の性質に関する情報の項目の例としては、種類や大きさ、厚さ等が挙げられる。また、印刷の態様に関する情報の項目の例としては、両面印刷か片面印刷かの区別や色（カラー印刷かモノクロ印刷かの区別、階調数）、印刷の種類、印刷された日時等が挙げられる。このほかには、送付先のファックス番号（ファックス送信される文書を印刷する場合）や文書の機密性に関する情報等が挙げられる。表１に識別情報の項目ごとの値の例を示す。
【００３３】
【表１】
2005305821.tif 000003
なお、上記のうち紙の種類や紙の大きさ、厚さ等の紙そのものの性質に関する情報については、印刷の都度ＲＦ−ＩＤチップ３４に書き込むのではなく、あらかじめ印刷媒体を製造したときにＲＦ−ＩＤチップ３４にＲＯＭとして記憶されていてもよい。
【００３４】
次に、本発明の一実施形態に係る複写装置について説明する。図３は、本発明の一実施形態に係る複写装置の主要構成を示すブロック図である。
【００３５】
図３に示す複写装置（コピー機）４０は、ＣＰＵ４２、スキャナ制御部４４、用紙制御部４６、印字制御部４８、ＲＦ−ＩＤ読取部５０、操作部５２、表示部５４等を備えている。
【００３６】
ＣＰＵ４２は、操作部５２等からの入力に基づいてコピー機４０内の各部の動作を制御する。操作部５２は、コピー開始指示の入力やコピー条件の設定を行うスイッチ等を含んでいる。表示部５４は、操作部５２から入力されたコピー条件の設定内容や操作指示、警告等を表示する。
【００３７】
以下に、本実施形態に係るコピー機４０を用いて印刷媒体をコピーする方法について図４及び図５を参照して説明する。図４は、本実施形態に係るコピー方法を示すフローチャートである。
【００３８】
まず、ステップＳ１０において、操作者により操作部５２からコピー条件が設定され、コピーの開始指示が入力される。ここで、コピー条件とは、操作者が手動で設定した印刷条件等の設定内容のほか、コピー機４０の機能的制約を含む概念である。
【００３９】
次に、ステップＳ１２においてコピー枚数（Ｎ）がリセットされ（Ｎ＝０）、ステップＳ１４でコピー枚数（Ｎ）のカウントが開始される（Ｎ＝１）。そして、ＲＦ−ＩＤ読取部５０により印刷媒体３０のＲＦ−ＩＤチップ３４に書き込まれた情報が読み取られる（ステップＳ１６）。
【００４０】
ここで、ステップＳ１６のＲＦ−ＩＤの読み取り工程について説明する。図５は、ＲＦ−ＩＤの読み取り工程を示すフローチャートである。まず、ＲＦ−ＩＤ読取部５０により印刷媒体３０のＲＦ−ＩＤチップ３４に書き込まれた情報が読み取られ（ステップＳ３０）、読み取られたＲＦ−ＩＤが適正であるかどうか判断される（ステップＳ３２）。ステップＳ３２においてＲＦ−ＩＤが適正であると判断された場合ステップＳ３４に進む。一方、ステップＳ３２においてＲＦ−ＩＤが適正でないと判断された場合、再度ＲＦ−ＩＤの読み込みを行う（ステップＳ３６）。そして、ステップＳ３８においてＲＦ−ＩＤが適正であると判断された場合ステップＳ３４に進むが、ステップＳ３２においてＲＦ−ＩＤが適正でないと判断された場合ＲＦ−ＩＤの読み取りを終了する。
【００４１】
次いで、ＲＦ−ＩＤの項目（表１参照）がチェックされ（ステップＳ３４）、ステップＳ４０においてＲＦ−ＩＤの項目とコピー機４０の要求する入力項目が一致している場合、ＲＦ−ＩＤの各項目の値がコピー機４０に入力される（ステップＳ４２）。
【００４２】
一方、ステップＳ４０においてＲＦ−ＩＤの項目とコピー機４０の要求する入力項目が一致していない場合、コピー機４０の要求する入力項目のうちＲＦ−ＩＤに含まれていないものについてはデフォルト値がコピー機４０に入力される（ステップＳ４４）。
【００４３】
ステップＳ４２及びＳ４４においては、例えば、コピー機４０が紙の厚みの項目の値を要求しているのにＲＦ−ＩＤに紙の厚みの項目が書き込まれていなかった場合、コピー機４０のデフォルトの値（例えば０．０１ｍｍ）に設定される。そして、ＲＦ−ＩＤのコピー機４０の入力要求項目と一致していた各項目の値がコピー機４０に入力される（ステップＳ４２）。これにより、コピー機４０のコピー条件の設定項目のすべてについて値が入力される。
【００４４】
次に、図４のフローチャートの説明に戻ると、ステップＳ１６のＲＦ−ＩＤ読み取り工程の次にステップＳ１８に進み、ステップＳ１６で入力された各項目の値とステップＳ１０のコピー条件が一致しているかどうか判断される。ステップＳ１８においてＲＦ−ＩＤの項目とコピー機４０の要求する入力項目が一致している場合、スキャナ制御部４４により複写する印刷媒体３０の印刷内容が読み取られ、コピー用紙に印刷される（ステップＳ２０）。
【００４５】
一方、ステップＳ１８において、ステップＳ１６で入力された各項目の値とステップＳ１０のコピー条件が一致していない場合、一致していない項目について表示部５４から警告（例えば、警告音や表示部５４の画面表示の変化等）が発せられる（ステップＳ２２）。そして、必要に応じて、操作者は操作部５２を操作してステップＳ１８において一致していない項目について操作指示を入力する（ステップＳ２４）。
【００４６】
上記ステップＳ１８、Ｓ２２及びＳ２４においては、例えば、印刷媒体３０がカラー印刷物であるのに、コピー機４０がカラーコピーに対応していない場合、カラーの文書である旨の警告が表示されると（ステップＳ２２）、操作者は白黒又はグレースケールでコピーするよう指示する（ステップＳ２４）。これにより、次いでステップＳ１８、ステップＳ２０と進みコピーが実行される。なお、この場合、ステップＳ１０においてあらかじめ白黒又はグレースケールで印刷するよう設定されていた場合には、ステップＳ１８において入力項目とコピー条件が一致していると判断し、警告を発することなくステップＳ１８からステップＳ２０に進むこととしてもよい。
【００４７】
また、例えば、印刷媒体３０が両面印刷物であるのに、コピー機４０が両面コピーに対応していない場合には、両面印刷物だから裏面もコピーするように操作指示が表示される（ステップＳ２２）。そして、操作者によりさらにコピー指示が入力されると（ステップＳ２４）、次の工程に進み片面コピーが実行される。
【００４８】
また、例えば、印刷媒体３０が機密文書である場合、機密文書である旨の警告が表示され（ステップＳ２２）、コピーが実行される（ステップＳ２４）。なお、ステップＳ１０のコピー条件において機密文書はコピー不可と設定されている場合、機密文書はコピー不可である旨の警告が表示され（ステップＳ２２）、コピーが実行されずに終了することとしてもよい。
【００４９】
次いで、ステップＳ１８に戻り、ステップＳ１６で入力された各項目の値とステップＳ１０のコピー条件が一致していれば、印刷媒体３０のコピーが行われる（ステップＳ２０）。
【００５０】
そして、引き続きコピーする印刷媒体があればステップＳ１４に戻りコピーを続行し、コピーする印刷媒体がなくなったらコピーを終了する（ステップＳ２６）。
【００５１】
なお、本実施形態のコピー機においては、ＲＦ−ＩＤ書込部を設け、コピー用紙として図２に示すような印刷媒体を用いて、コピー時の識別情報をコピー用紙のＲＦ−ＩＤに書き込むようにしてもよい。
【００５２】
以下、本発明の一実施形態に係るファクシミリ装置について説明する。図６は、本発明の一実施形態に係るファクシミリ装置の主要構成を示すブロック図である。
【００５３】
図６に示すファクシミリ装置６０は、ＣＰＵ６２、スキャナ制御部６４、用紙制御部６６、印字制御部６８、ＲＦ−ＩＤ読取部７０、操作部７２、表示部７４、音声入出力部（受話器や本体スピーカ）７６及び電話回線ＩＦ部７８等を備えている。
【００５４】
ＣＰＵ６２は、操作部７２等からの入力に基づいてファクシミリ装置６０内の各部の動作を制御する。操作部７２は、送信先ファックス番号の入力やファックス送信の開始指示の入力、ファックス条件の設定を行う操作キー等を含んでいる。表示部７４は、操作部７２で入力された送信先ファックス番号やファックス条件の設定内容、操作指示、警告等を表示する。
【００５５】
以下に、本実施形態に係るファクシミリ装置６０を用いて印刷媒体をファックス送信する方法について図７等を参照して説明する。図７は、本実施形態に係るファックス送信方法を示すフローチャートである。
【００５６】
まず、ステップＳ５０において、操作者により操作部７２からファックス条件等が入力され、ファックス送信の開始指示が入力される。ここで、ファックス条件とは、操作者が手動で設定した印刷条件等の設定内容のほか、ファクシミリ装置６０の機能的制約を含む概念である。
【００５７】
次に、ステップＳ５２において送信枚数（Ｎ）がリセットされ（Ｎ＝０）、ステップＳ５４で送信枚数（Ｎ）のカウントが開始される（Ｎ＝１）。そして、ＲＦ−ＩＤ読取部７０により印刷媒体３０のＲＦ−ＩＤチップ３４に書き込まれた情報が読み取られる（ステップＳ５６）。ここで、ステップＳ５６のＲＦ−ＩＤの読み取り工程については、図５と同様であるので説明を省略する。
【００５８】
次いで、ステップＳ５８に進み、ステップＳ５０で送信先のファックス番号が入力されたかどうか判断され、ステップＳ５０で送信先ファックス番号が入力されている場合にはステップＳ６０に進む。
【００５９】
一方、ステップＳ５０でファックス番号が入力されていない場合には、ステップＳ５６で読み取られたＲＦ−ＩＤの項目に送信先ファックス番号が含まれていれば（ステップＳ６２）、ＲＦ−ＩＤの送信先ファックス番号をファクシミリ装置６０に入力する（ステップＳ６４）。一方、ＲＦ−ＩＤの項目に送信先ファックス番号が含まれていなければ（ステップＳ６２）、表示部７４から送信先が設定されていない旨の警告が発せられる（ステップＳ６６）。そして、操作者により送信先ファックス番号が入力され（ステップＳ６８）、次いでステップＳ５８を経てステップＳ６０に進む。
【００６０】
そして、ステップＳ６０において、ステップＳ５６で入力された各項目の値とステップＳ５０のファックス条件が一致しているかどうか判断される。ステップＳ６０においてＲＦ−ＩＤの項目とファクシミリ装置６０の要求する入力項目が一致している場合、スキャナ制御部６４で送信される印刷媒体３０の印刷内容が読み取られ、電話回線ＩＦ部７８を介して送信先に送信される（ステップＳ７０）。
【００６１】
一方、ステップＳ６０において、ステップＳ５６で入力された各項目の値とステップＳ５０のファックス条件が一致していない場合、一致していない項目について表示部７４から警告（例えば、警告音や表示部７４の画面表示の変化等）が発せられる（ステップＳ７２）。そして、必要に応じて、操作者は操作部７２を操作してステップＳ６０において一致していない項目について操作指示を入力する（ステップＳ７４）。
【００６２】
次いで、ステップＳ６０に戻り、ステップＳ５６で入力された各項目の値とステップＳ５０のファックス条件が一致していれば、印刷媒体３０の送信が行われる（ステップＳ７０）。
【００６３】
そして、引き続き送信する印刷媒体があればステップＳ５４に戻り上記のステップを繰り返し、送信する印刷媒体がなくなったら終了する（ステップＳ７６）。
【００６４】
なお、本実施形態のファクシミリ装置においては、ＲＦ−ＩＤ書込部を設け、記録紙として図２に示すような印刷媒体を用いて、受信した文書を印刷する際の識別情報を記録紙のＲＦ−ＩＤチップに書き込むようにしてもよい。
【図面の簡単な説明】
【００６５】
【図１】本発明の一実施形態に係る印刷装置の主要構成を示すブロック図
【図２】印刷媒体を示す図
【図３】本発明の一実施形態に係る複写装置の主要構成を示すブロック図
【図４】本実施形態に係るコピー方法を示すフローチャート
【図５】ＲＦ−ＩＤの読み取り工程を示すフローチャート
【図６】本発明の一実施形態に係るファクシミリ装置の主要構成を示すブロック図
【図７】本実施形態に係るファックス送信方法を示すフローチャート
【符号の説明】
【００６６】
１０…印刷装置、１２…ＣＰＵ、１８…ＲＦ−ＩＤ書込部、３０…印刷媒体、３４…ＲＦ−ＩＤチップ、４０…複写装置、４２…ＣＰＵ、５０…ＲＦ−ＩＤ読取部、６０…ファクシミリ装置、６２…ＣＰＵ、７０…ＲＦ−ＩＤ読取部
【図１】
2005305821.tif 000004
【図２】
2005305821.tif 000005
【図３】
2005305821.tif 000006
【図４】
2005305821.tif 000007
【図５】
2005305821.tif 000008
【図６】
2005305821.tif 000009
【図７】
2005305821.tif 000010